(57)【特許請求の範囲】
【請求項１】
本体内に、内部に収容された被調理物を加熱調理するグリル加熱室が配設され、
前記グリル加熱室には、前記グリル加熱室前面に形成し開口を覆い開閉自在に配されたグリル扉と、前記グリル加熱室内に配される焼き網と、前記焼き網上に載置されるネット網と、を備え、
前記焼き網には、外縁体と、前記外縁体下面に両端部が固定された載置部と、を備え、
前記ネット網には、少なくとも１箇所以上の脚部を備え、
前記脚部は、前記外縁体の側面に係合し、前記外縁体上部かあるいは前記載置部上部に対して係合するように形成されるとともに、
前記外縁体、前記載置部、及び前記脚部は線材で形成され、
前記脚部は、前記載置部の１本の上面に係合され、前記脚部の略中央は、前記載置部の１本の略直上に係合された加熱調理器。
【請求項２】
前記ネット網には、前記脚部に保持された外枠部と、前記外枠部に固定された複数本の線材で形成されたネット部と、を備える請求項１に記載の加熱調理器。
【請求項３】
前記脚部は、前記脚部の線材の直径以上に前記ネット部より曲げ下げた形状とした請求項２に記載の加熱調理器。
【発明の詳細な説明】
【技術分野】
【０００１】
本発明は、一般家庭で使用する加熱調理器に関するものである。
【背景技術】
【０００２】
従来、この種の加熱調理器は、焼き網に着脱自在にネット網を載置することで、グリルヒーターからの熱を均一に伝え、食材への焦げ目のばらつきを抑制している（例えば、特許文献１参照）。
【先行技術文献】
【特許文献】
【０００３】
【特許文献１】特開２００５−０５２４４５号公報
【発明の概要】
【発明が解決しようとする課題】
【０００４】
しかしながら、前記従来の構成では、ネット網を焼き網に載置することはできるものの、焼き網に対して載置する位置が決まっていないため、グリル庫内に配されるヒーターとの位置が確定せず、調理物の焼き具合にばらつきがおこるという課題を有するとともに、グリル扉の開閉時などにネット網および焼き網同士の磨耗を引き起こし、焼き網の耐久性を低下させるという課題を有していた。
【０００５】
本発明は、前記従来の課題を解決するもので、焼き網へのネット網載置位置を前後左右の決まった位置にセットできるようにし、ヒーターとの位置を決まった位置とすることにより、グリル扉開閉時にネット網が焼き網上でずれることを低減して、焼き網の耐久性の低下を防ぐことができる加熱調理器を提供することを目的とする。
【課題を解決するための手段】
【０００６】
前記従来の課題を解決するために、本発明の加熱調理器は、本体内に、内部に収容された被調理物を加熱調理するグリル加熱室が配設され、前記グリル加熱室には、前記グリル加熱室前面に形成し開口を覆い開閉自在に配されたグリル扉と、前記グリル加熱室内に配される焼き網と、前記焼き網上に載置されるネット網と、を備え、前記焼き網には、外縁体と、前記外縁体下面に両端部が固定された載置部と、を備え、前記ネット網には、少なくとも１箇所以上の脚部を備え、前記脚部は、前記外縁体の側面に係合し、前記外縁体上部かあるいは前記載置部上部に対して係合するように形成されるとともに、前記外縁体、前記載置部、及び前記脚部は線材で形成され、前記脚部は、前記載置部の１本の上面に係合され、前記脚部の略中央は、前記載置部の１本の略直上に係合された構成としたものである。
【０００７】
これによって、焼き網上に載置されたネット網は、脚部が焼き網の外縁体の側面に係合することと、外縁体の上部かあるいは焼き網の載置部の上部に係合することにより、左右方向と上下方向に位置が規制されて、焼き網上でずれる量が少なくなり、係合しない場合と比べて焼き網の耐摩耗性の低下を防ぐことができ、また、ネット網が焼き網上でずれることにより発生する食材の落下を防ぐことができる。
【０００８】
このようにして、使用者にとってより安全・安心で調理性能が向上する調理器を提供することができる。また、本発明の加熱調理器は、前記焼き網の載置部は焼き網の外縁体下面に両端部が固定される構成としたものである。
【０００９】
これによって、ネット網の脚部は焼き網に係合する際、焼き網の載置部と焼き網の外縁体とともに係合することができる。また、ネット網の脚部の形状を焼き網の外縁体と平行に形成し、係合することができるため、構成が簡素化されてコストを安くすることができ
る。
【００１０】
このようにして、ネット網が焼き網上でずれる量を少なくすることができ、焼き網の耐磨耗性が向上し、使用者にとってより安全・安心で調理性能が向上する調理器を提供することができる。
【００１１】
また、本発明の加熱調理器は、焼き網の外縁体および焼き網の載置部は線材で形成され、ネット網の脚部は線材で形成される構成としたものである。
【００１２】
これによって、ネット網の脚部と焼き網の載置部が係合する箇所では、線材同士の接触となり、接触する部分をＲ部同士とすることが容易であるため、線材でない角材などで形成した場合に比べて、耐磨耗性を向上させることができる。このようにして、使用者にとってより安全・安心で調理性能が向上する調理器を提供することができる。
【００１３】
また、本発明の加熱調理器は、ネット網の脚部を焼き網の載置部を形成する１本の焼き網載置棒の上面に係合された構成としたものである。
【００１４】
これによって、複数の焼き網載置棒の上面にネット網の脚部を配する場合に比べて、磨耗する箇所を少なくすることができ、焼き網の耐摩耗性が向上するとともに、ネット網の脚部の折り曲げ長さを少なくすることができ、結果的に線材の全長を短くすることとなり、コスト削減を図ることができる。
【００１５】
また、本発明の加熱調理器は、ネット網の脚部の略中央を焼き網の載置部を形成する１本の焼き網載置棒の略直上に係合された構成としたものである。
【００１６】
これによって、略中央以外に載置した場合には、ネット網の脚部の上面がグリル扉の開閉時などによる外部からの力によって、ネット網の脚部は焼き網の載置部を形成する焼き網載置棒の直上からずれて傾き、食材が落ちる可能性を有しているが、略中央に係合することで少量のずれ量であればネット網を平行に保つことで、食材の落下の可能性を減らすことができ、使用者にとってより安全・安心で利便性を損なわず、調理性能が向上する調理器を提供することができる。
【００１７】
また、本発明の加熱調理器は、前記ネット網には、前記脚部に保持された外枠部と、前記外枠部に固定された複数本の線材で形成されたネット部と、を備える構成としたものである。
【００１８】
これによって、ネット部は脚部と外枠部によって保持されるため、ネット部を取り付ける部分の堅牢性が高まり耐久性を向上させることができ、使用者にとってより安全・安心で利便性を損なわず、調理性能が向上する調理器を提供することができる。
【００１９】
また、本発明の加熱調理器は、前記脚部は、前記脚部の線材の直径以上に前記ネット部より曲げ下げた形状とした構成としたものである。
【００２０】
これによって、ネット部と焼き網の載置棒との間に線材の直径以上となる高さを隙間として設けることができる。高さを設けることで、ネット部に一定の重量の範囲内において調理物を置かれた際にネット部がたわんだとしても、ネット部が焼き網と接触することを防ぐことができ、焼き網の耐摩耗性を向上させることができ、使用者にとってより安全・安心で利便性を損なわず、調理性能が向上する調理器を提供することができる。
【００２１】
また、本発明の加熱調理器は、グリル加熱室は調理物と略水平に対峙したヒーターと、焼き網を配される受皿を備え、前記ヒーターはグリル加熱室内の上下に備え、上ヒーター
はネット網上方に位置し、下ヒーターは、焼き網の下方で受皿よりも上方に配している。
【００２２】
焼き網の載置部を前記グリル扉の開閉方向に対して左右方向に形成した焼き網において、ネット網のグリル扉の開閉方向に対して前方および後方の脚部は、焼き網の載置部よりも下方で下ヒーターよりも上方の位置の高さまでネット部より曲げ下げた形状とし、上下ヒーターの加熱部よりも外方で焼き網の隣り合う載置棒間に位置する構成としたものである。
【００２３】
これによって、ネット網が焼き網に載置され、グリル扉の開閉を行ってグリル調理室内に挿入する場合に、ネット網はヒーターには接触せず、スムーズに開閉を行うことができる。
【００２４】
また、ヒーターの加熱部よりも外方で焼き網の隣り合う載置棒間に位置することで、ネット網はヒーターの加熱を全面で受けることができ、調理性能が向上するので、使用者にとってより安全・安心で調理性能が向上する調理器を提供することができる。
【００２５】
また、本発明の加熱調理器は、ネット網の前方の脚部の後部は、焼き網の載置部の前部と隣設し、ネット網の後方の脚部の前部は、焼き網の載置棒の後部と隣設する構成としたものである。
【００２６】
これによって、ネット網が焼き網に載置されたときに、ネット網が前方にずれる場合においては、ネット網の後方の脚部の前部が、焼き網の載置棒の後部と接触し、ネット網は焼き網上で係止される。
【００２７】
一方ネット網が後方にずれる場合においても同様に、ネット網の前方の脚部の後部が、焼き網の載置棒の前部と接触し、ネット網は焼き網上で係止される。
【００２８】
このことにより、ずれ量を焼き網のピッチより短くすることができ、ネット網のずれ防止が図ることができ、ヒーターとの位置関係のずれ量を抑制し、ネット網上に載置された調理物とヒーターとの位置関係のずれ量を抑制することとなり、調理物の焼き具合のばらつきを抑制することができ、使用者にとってより安全・安心で調理性能が向上する調理器を提供することができる。
【００２９】
また、本発明の加熱調理器は、内部に収容された被調理物を加熱調理するグリル加熱室と、グリル加熱室前面に形成し、開口を覆い開閉自在に配されたグリル扉と、グリル加熱室内に配される外縁体を有する焼き網と、焼き網は前記外縁体に両端部近傍が固定された載置部とを有し、焼き網上に載置したネット網は脚部を備えることなく形成された構成としたものである。
【００３０】
これによって、焼き網の上部に空間が十分にないグリル加熱室においても使用でき、利用者にとって利便性が高まる調理器を提供することができる。
【００３１】
また、本発明の加熱調理器は、内部に収容された被調理物を加熱調理するグリル加熱室と、グリル加熱室前面に形成し開口を覆い開閉自在に配されたグリル扉と、グリル加熱室内に配される外縁体を有する焼き網と、焼き網に係合するネット網とを備え、ネット網は焼き網に係合する少なくとも１つ以上の係合片を形成した構成としたものである。
【００３２】
これによって、焼き網には載置することが困難である小さな食材を載置することが可能となり、さらには焼き網の下方からでも取り付けることが可能となり、焼き網の上部に空間が十分にないグリル加熱室においても使用でき、利用範囲が広がり、使用者にとって利
便性が高まる調理器を提供することができる。
【００３３】
また、本発明の加熱調理器は、内部に収容された被調理物を加熱調理するグリル加熱室と、前記グリル加熱室前面に形成し開口を覆い開閉自在に配されたグリル扉と、前記グリル加熱室内に配される外縁体を有する焼き網と、前記焼き網は前記外縁体に両端部近傍が固定された複数の載置部を有し、前記複数の載置部は間隔を均一に離隔させて載置部基本間隔部を有し、前記複数の載置部は不均一な間隔部を少なくとも１箇所以上有し、前記焼き網上に載置したネット網と、前記ネット網は少なくとも１箇所以上の前記焼き網の載置部と直交する焼き網への直交嵌合部を備え、前記不均一な間隔部に前記直交嵌合部が嵌合する構成としたものである。
【００３４】
これによって、使用者が焼き網にネット網を載置する際に、セットできる位置が限られるため、誤載置し、ヒーターとの位置が確定しない可能性を低減することができるため、調理物の焼き具合のばらつきを抑制することができ、使用者にとってより安全・安心で調理性能が向上する調理器を提供することができる。
【００３５】
また、本発明の加熱調理器は、前記載置部に直交する方向の前記直交嵌合部の長さＡは、前記焼き網の載置部基本間隔部ｂより大きく、焼き網のネット網載置部の不均一な間隔部ａのみが前記嵌合部の長さＡより大きく形成される（ａ＞＞Ａ＞ｂ）構成としたものである。
【００３６】
これによって、使用者が焼き網にネット網を載置する際に、嵌合部は焼き網の基本間隔部には係合することが物理的に不可能であり、焼き網のネット網載置部の間隔のみに嵌合することができ、誤載置し、ヒーターとの位置が確定しない可能性を低減することができるため、調理物の焼き具合のばらつきを抑制することができ、使用者にとってより安全・安心で調理性能が向上する調理器を提供することができる。
【００３７】
また、本発明の加熱調理器は、前記直交嵌合部は、前記ネット網枠体と一体として形成される構成としたものである。
【００３８】
これによって、ネット網の嵌合部の構成が簡素化されてコストを安くすることができる。このようにして、ネット網が焼き網上でずれる量を少なくすることができ、焼き網の耐磨耗性が向上し、使用者にとってより安全・安心で調理性能が向上する調理器を提供することができる。
【００３９】
また、本発明の加熱調理器は、前記直交嵌合部は、前記ネット網の前方と後方に設けられる構成としたものである。
【００４０】
これによって、ネット網を焼き網に載置する際に前後逆でも載置することができ、かつ誤載置することを防ぐことができるため、ヒーターとの位置が確定しない可能性を低減することができるため、調理物の焼き具合のばらつきを抑制することができ、使用者にとってより安全・安心で調理性能が向上する調理器を提供することができる。
【００４１】
また、本発明の加熱調理器は、前記ネット網は前後方向を焼き網に係止する前方嵌合部と後方嵌合部を有し、前記不均一な間隔部は、前記載置部１本を曲げ加工することで載置部基本間隔部を備えつつ形成され、前記ネット網の前方嵌合部および後方嵌合部が前記載置部基本間隔部を構成する載置部に嵌合する構成としたものである。
【００４２】
これによって、焼き網の載置部の構成が簡素化されてコストを安くすることができ、ネット網は前方嵌合部と後方嵌合部で焼き網に係止されることにより、よりネット網が焼き
網上でずれる量を少なくすることができ、焼き網の耐磨耗性が向上し、使用者にとってより安全・安心で調理性能が向上する調理器を提供することができる。
【００４３】
また、本発明の加熱調理器は、前記不均一な間隔部および載置部基本間隔部は、前記載置部の１本を少なくとも１回以上直角曲げ加工して構成したものである。
【００４４】
これによって、均一な部分と不均一な部分の境目がはっきりと視認でき、使用者が誤載置する可能性を減らすことができ、見栄えもよい。
【００４５】
このようにして、ネット網が焼き網上でずれる量を少なくすることができ、焼き網の耐磨耗性が向上し、使用者にとってより安全・安心で調理性能が向上する調理器を提供することができる。
【００４６】
また、本発明の加熱調理器は、内部に収容された被調理物を加熱調理するグリル加熱室と、前記グリル加熱室前面に形成し開口を覆い開閉自在に配されたグリル扉と、前記グリル加熱室内に配される外縁体を有する焼き網と、前記焼き網は前記外縁体に両端部近傍が固定された複数の載置部と嵌合部を有し、前記焼き網上に載置するネット網と、前記ネット網は前記嵌合部が嵌合するネット網嵌合部を少なくとも１箇所以上設ける構成としたものである。
【００４７】
これによって、使用者が焼き網にネット網を載置する際に、セットできる位置が限られるため、誤載置し、ヒーターとの位置が確定しない可能性を低減することができるため、調理物の焼き具合のばらつきを抑制することができ、使用者にとってより安全・安心で調理性能が向上する調理器を提供することができる。
【発明の効果】
【００４８】
本発明の加熱調理器は、焼き網へのネット網載置位置を前後左右の決まった位置にセットできるようにし、ヒーターとの位置を決まった位置とすることができ、グリル扉開閉時にネット網が焼き網上でずれることを低減することにより焼き網の耐久性の低下を防ぐことができる。
【図面の簡単な説明】
【００４９】
【図１】本発明の実施の形態１における加熱調理器の構成の斜視図
【図２】本発明の実施の形態１における加熱調理器の構成の内部斜視図
【図３】本発明の実施の形態１における加熱調理器の焼き網とネット網の関係図
【図４】本発明の実施の形態１における加熱調理器の図３におけるＡ−Ａ断面図
【図５】本発明の実施の形態１における加熱調理器の図３における平面図
【図６】本発明の実施の形態１における加熱調理器のグリル加熱室内の位置関係図
【図７】本発明の実施の形態２における加熱調理器の焼き網とネット網の関係図
【図８】本発明の実施の形態３における加熱調理器の焼き網とネット網の関係図
【図９】本発明の実施の形態４における加熱調理器の焼き網とネット網の関係図
【図１０】本発明の実施の形態５における加熱調理器の焼き網とネット網の関係図
【発明を実施するための形態】
【００５０】
第１の発明は、本体内に、内部に収容された被調理物を加熱調理するグリル加熱室が配設され、前記グリル加熱室には、前記グリル加熱室前面に形成し開口を覆い開閉自在に配されたグリル扉と、前記グリル加熱室内に配される焼き網と、前記焼き網上に載置されるネット網と、を備え、前記焼き網には、外縁体と、前記外縁体下面に両端部が固定された載置部と、を備え、前記ネット網には、少なくとも１箇所以上の脚部を備え、前記脚部は、前記外縁体の側面に係合し、前記外縁体上部かあるいは前記載置部上部に対して係合するように形成されるとともに、前記外縁体、前記載置部、及び脚部は線材で形成され、前記脚部は、前記載置部の１本の上面に係合され、前記脚部の略中央は、前記載置部の１本の略直上に係合されたものである。
【００５１】
これによって、ネット網は焼き網上でずれる量が少なくなり、係合しない場合と比べて焼き網の耐摩耗性の低下を防ぐことができ、ネット網が焼き網上でずれることにより発生する食材の落下を防ぐことができ、使用者にとってより安全・安心で調理性能が向上する調理器を提供することができる。
【００５２】
また、前記焼き網の載置部は前記外縁体下面に両端部が固定されるものである。
【００５３】
これによって、ネット網は脚部を焼き網に隣接する際、焼き網の外縁体とネット網の脚部を係合させることにより、焼き網上でずれる量を少なくすることができ、ネット網の脚部焼き網に係合する際、焼き網の載置部と焼き網の外縁体とともに接することができる。
【００５４】
また、脚部の形状をストレートとなるように形成することができ、形成しやすくできる。よって、焼き網上でずれる量を少なくすることができ、耐磨耗性が向上して、使用者にとってより安全・安心で調理性能が向上する調理器を提供することができる。
【００５５】
また、前記焼き網の外縁体および載置部は線材で形成され、前記ネット網の脚部は線材で形成されたものである。
【００５６】
これによって、ネット網の脚部と焼き網が係合する場合には、線材同士であるため接触する部分をＲ部同士とすることが容易であるため、線材でない角材などで形成した場合に比べて、耐磨耗性を向上させることができ、使用者にとってより安全・安心で調理性能が向上する調理器を提供することができる。
【００５７】
また、前記ネット網の脚部は、前記焼き網の載置部の１本の上面に係合されたものである。
【００５８】
これによって、複数の載置棒の上面にネット網の脚部を配する場合に比べて、磨耗する箇所を少なくすることができ、焼き網の耐摩耗性が向上するとともに、ネット網の焼き網載置部の折り曲げ長さを少なくすることができ、線材の全長を短くすることとなり、コスト削減を図ることができ、使用者にとってより安全・安心で利便性を損なわず調理性能が向上する調理器を提供することができる。
【００５９】
また、前記ネット網の脚部の略中央は、前記焼き網の載置部の１本の略直上に係合されたものである。
【００６０】
これによって、略中央以外に載置した場合、ネット網脚部の上面がグリル扉の開閉時などによる外部からの力によって、焼き網の載置棒の直上からずれて傾き食材が落ちる可能性を有しているが、略中央にあることで少量のずれ量であればネット網を平行に保つことで、ネット網が焼き網上でずれることにより発生する食材の落下の可能性を減らすことができ、使用者にとってより安全・安心で利便性を損なわず、調理性能が向上する調理器を提供することができる。
【００６１】
第２の発明は、特に、第１の発明において、前記ネット網には、前記脚部に保持された外枠部と、前記外枠部に固定された複数本の線材で形成されたネット部と、を備えるものである。
【００６２】
これによって、ネット部は脚部と外枠部によって保持されるため、ネット部取り付け部の堅牢性が高まり耐久性を向上させることができ、使用者にとって、より安全・安心で利
便性を損なわず、調理性能が向上する調理器を提供することができる。
【００６３】
第３の発明は、特に、第２の発明において、前記脚部は、前記脚部の線材の直径以上に前記ネット部より曲げ下げた形状としたものである。
【００６４】
これによって、ネット部と焼き網の載置棒に脚部の高さ分隙間を設けることができ、高さを設けることで、ネット部に一定の重量の範囲内において調理物を置かれた際にネット部がたわんだとしても、ネット部が焼き網と接触することを防ぐことができ、焼き網の耐摩耗性を向上させることができ、使用者にとってより安全・安心で利便性を損なわず、調理性能が向上する調理器を提供することができる。
【００８８】
以下、本発明の実施の形態について図面を用いて説明する。なお、この実施の形態によって本発明が限定されるものではない。
【００８９】
（実施の形態１）
図１は本発明の第１の実施の形態における加熱調理器の構成の斜視図であり、本発明の実施の形態における加熱調理器である誘導加熱調理器の主要構成部品を示すものである。但し、実施の形態の説明に不要な構成部分については、主要構成であっても省略している。
【００９０】
誘導加熱調理器は、本体１の天面には被加熱調理器具を載置するトッププレート２が配されている。トッププレート２は高耐熱のガラス等の電磁誘導によって加熱されない材質で構成されている。
【００９１】
トップフレーム３は、トッププレート２の外周を囲み、本体の天面の一部もしくは殆ど全部を構成しており、トッププレート２を介して伝わる被加熱物からの熱に十分耐え、且つ外観部品として見栄えがよく、腐食にも強いステンレスやホーロー処理鋼板等の金属から成っている。
【００９２】
図２は本発明の第１の実施の形態における加熱調理器の構成の内部斜視図を示す。図２において、トップフレーム３に形成された天面操作部４の内部には、操作部ユニット等が配設されている。トッププレート２の下方には誘導加熱コイル５が近接して設けられている。
【００９３】
誘導加熱コイル５は、コイルケース６に収納され、本体１内の所定の位置に保持されている。誘導加熱コイル５には電源回路７によって高周波電力が供給され、トッププレート２に載置された鍋を誘導加熱する。
【００９４】
誘導加熱コイル５及び電源回路７は冷却ファン８の送風によって冷却される。本体１内には略箱形状のグリル加熱室１０が配設されており、グリル加熱室１０内に発熱して被加熱物を加熱するヒーター１１によって加熱調理を行う。
【００９５】
グリル加熱室１０内には、調理物を載せる焼き網１２を載置した受け皿１３を収納してある。グリル使用時は、グリル加熱室１０の開口部を覆うグリル扉１４は受け皿１３に嵌着されており、グリル扉１４と受け皿１３は連動して前後に摺動する。
【００９６】
図３は本発明の第１の実施の形態における加熱調理器の焼き網とネット網の関係図を示す。
【００９７】
図３において、焼き網１２は線材で形成された焼き網の外縁体である焼き網外縁体１６と、焼き網外縁体１６の下面に両端部を取り付けられた複数本の線材で形成した焼き網の載置部である焼き網載置棒１７を有している。
【００９８】
焼き網の載置部である焼き網載置棒１７は、グリル扉の開閉方向に対して左右方向に形成している。
【００９９】
また、ネット網１５は、線材で形成され、複数の脚部であるネット網前方脚部１９、ネット網後方脚部２０、ネット網側面脚部２１を下方に向けて形成している。
【０１００】
さらに、複数の脚部に保持されたネット網１５の外枠部であるネット網外枠部１８と、ネット網外枠部１８に取り付けられた複数本の線材で形成されたネット部３０を有している。
【０１０１】
ネット網側面脚部２１は、グリル扉の開閉方向に対して左右の側面に備えている。
【０１０２】
図４は本発明の第１の実施の形態における加熱調理器の図３におけるＡ−Ａ断面図である。図４において、ネット網１５のネット網側面脚部２１は、焼き網外縁体１６の内側に係合するように焼き網外縁体１６の線材と平行に形成されて、焼き網の載置部である焼き網載置棒１７の上面に配される構成としたことを示す。
【０１０３】
さらに、図５は本発明の第１の実施の形態における加熱調理器の図３における平面図である。図５において、図３におけるＣ方向から見たネット網１５のネット網側面脚部２１は、焼き網１２の載置部である焼き網載置棒１７の１本の上面に配されるとともに、ネット網側面脚部２１の略中央に焼き網載置棒１７の１本が配されていることを示す。
【０１０４】
さらに、図６は本発明の第１の実施の形態における加熱調理器のグリル加熱室内の位置関係図であり、ネット網１５が焼き網１２に載置され、グリル加熱室１０内に挿入された場合のそれぞれの位置関係を示し、図３におけるＤ方向から見た断面図である。
【０１０５】
ネット網１５のネット網側面脚部２１は、ネット網１５の脚部の線材の直径以上にネット部３０より曲げ下げた形状としている。
【０１０６】
また、上ヒーター２４と下ヒーター２５は、上ヒーター２４においては、焼き網１２上方に位置し、下ヒーター２５は、焼き網１２の下方で受け皿１３よりも上方に配している。
【０１０７】
また、ネット網１５の前方のネット網前方脚部１９および後方のネット網後方脚部２０は、焼き網１２の前部載置棒２２、後部載置棒２３よりも下方で下ヒーター２５よりも上方の位置の高さまでネット部３０より曲げ下げた形状である。
【０１０８】
さらに、ネット網前方脚部１９および後方のネット網後方脚部２０は、上ヒーター２４および下ヒーター２５の加熱部よりも外方で焼き網１２の隣り合う焼き網載置棒１７の間に位置し、ネット網１５のネット網前方脚部１９の後部は、焼き網１２の外縁体１６と隣り合う前部載置棒２２の前部に位置し、ネット網１５の後方のネット網後方脚部２０の前部は、焼き網１２の外縁体１６と隣り合う後部載置棒２３の後部に位置している。
【０１０９】
このことにより、焼き網１２とネット網１５の接触部は線材のＲ部同士が接触することになるので、角材などを使用した場合に比べて、焼き網１２の耐摩耗性を向上させることができる。
【０１１０】
さらに、ネット網１５のネット網側面脚部２１の下面は、焼き網１２の載置部である焼き網載置棒１７の１つにネット網側面脚部２１の略中央を接触していることにより、複数の焼き網載置棒１７の上面にネット網１５の脚部を配する場合に比べて、磨耗する箇所を少なくすることができ、焼き網の耐摩耗性が向上する。
【０１１１】
さらに、複数の焼き網載置棒の上面にネット網１５の脚部を複数配する場合に比べてネット網の脚部の折り曲げ長さを少なくすることができ、すなわち線材の全長を短くすることとなり、コスト削減を図ることができる。
【０１１２】
さらに、ネット網１５の脚部については線材を曲げて形成することで、別体で形成する場合に比べコストを低減することができる。
【０１１３】
また、ネット網１５のネット網側面脚部２１の焼き網に載置する部分の略中央に焼き網１２の載置部である焼き網載置棒１７が接触することで、ネット網のネット網側面脚部がグリル扉の開閉時などで外部からの力によって、焼き網載置棒１７の直上からずれて傾き、食材が落ちる可能性をずれ量を抑制することによってネット網を平行に保ち、その可能性を減らすことができる。
【０１１４】
このようにして、焼き網１２へのネット網１５載置位置を前後左右の決まった位置にセットできるようにしたことで、上ヒーター２４と下ヒーター２５との位置を固定することができる。
【０１１５】
これにより、ネット網１５上に載置された調理物と上ヒーター２４、下ヒーター２５ヒの位置が固定されることになり、調理物の焼き具合のばらつきを抑制することができる。
【０１１６】
さらに、ネット網１５のネット網前方脚部１９の後部は、焼き網の前部載置棒２２と隣設し、ネット網１５のネット網後方脚部２０の前部は、焼き網の後部載置棒２３と隣設する構成としたことによって、ネット網１５が焼き網１２に載置されたときに、ネット網１５が前方にずれる場合においては、ネット網１５のネット網後方脚部２０の前部が、焼き
網１２の後部載置棒２３と接触し、ネット網１５は焼き網１２上で係止される。
【０１１７】
一方ネット網１５が後方にずれる場合においても同様に、ネット網１５の前方のネット網前方脚部１９の後部が、焼き網１２の載置棒の前部載置棒２２と接触し、ネット網１５は焼き網上で係止される。
【０１１８】
このことにより、ずれ量を焼き網のピッチより短くすることができ、ネット網のずれ防止をすることができ、グリルヒーターとの位置関係のずれ量を抑制し、それはすなわちネット網上に載置された調理物とグリルヒーターとの位置関係のずれ量を抑制することとなり、調理物の焼き具合のばらつきを抑制することができる。
【０１１９】
このようにして、使用者にとってより安全・安心で調理性能が向上する調理器を提供することができる。
【０１２０】
さらに、ネット網１５のネット網側面脚部２１をネット網の脚部の線材の直径以上にネット部より曲げ下げた形状としたことと、焼き網１２の焼き網載置棒１７にネット網１５のネット網側面脚部２１の略中央を接触して乗り上げる構成としたことにより、ネット網１５と焼き網１２に脚部の高さ分の隙間を設けることができる。
【０１２１】
この隙間分の高さを設けることで、ネット網１５に一定の重量の範囲内において調理物を置かれた際にネット網がたわんだとしても、ネット網の被加熱物の載置網部分が焼き網と接触することを防ぎ、焼き網の耐摩耗性を向上させることができる。
【０１２２】
このことは、所定の重量を考慮し、曲げの大きさを変えることで高さを自由に設定できることと同義である。
【０１２３】
また、ネット網１５が焼き網１２に載置されて、グリル扉の開閉を行ってグリル調理室内に挿入する場合に、ネット網１５はヒーターには接触せず、スムーズに開閉を行うことができる。
【０１２４】
さらに、ヒーターの加熱部よりも外方で、焼き網１２の焼き網載置棒１７の隣り合う載置棒間に位置することで、ヒーターの加熱領域の加熱をネット網の全面で受けることができ、調理性能が向上する。
【０１２５】
また、ネット網１５のネット網側面脚部２１は曲率を大きくすることにより、焼き網１２の焼き網載置棒１７との接触部が少なくなることで耐摩耗性の向上を図ることができることはいうまでもない。
【０１２６】
また、ネット網１５の被加熱物載置網部３３は、おろし金状であっても良いし、焼き網と同様に等間隔に線材が配されたような場合であっても、加熱物が用意に脱落しない形状であれば本発明と同様に焼き網に載置しにくい小魚（ししゃも、めざし）や枝豆、ナッツ、ししとうなどに対して効果があることはいうまでもない。
【０１２７】
また、焼き網１２の焼き網外縁体１６が矩形である場合を示したが、焼き網外縁体１６が円状であっても、隣接するようにネット網１５の被加熱物載置網部３３を設けることで同様の効果を発揮することはいうまでもない。
【０１２８】
また、ネット網１５のネット網外枠部１８の高さは、グリル扉の開閉時に調理物が落ちない程度の高さを有するものであってもよい。
【０１２９】
本実施の形態における構成は、据置タイプの加熱調理器であるが、同様の構成をもつ調理器であれば同様の効果を発揮することはいうまでもない。
【０１３０】
（実施の形態２）
図７は、本発明の第２の実施の形態における加熱調理器の焼き網とネット網の関係図である。
図７において、ネット網１５は脚部を設けずに、焼き網１２上に載置したものである。
本実施の形態では、ネット網１５の載置部と焼き網１２の載置部の接触部分が磨耗することが想定されるが、ネット網１５と焼き網１２の各々の接触する部分を同等の表面処理（たとえば、ニッケルメッキ）を施すことによって、耐摩耗性を改善することができる。
【０１３１】
このことで、グリル加熱室の空間が十分にない場合であっても、焼き網では調理しにくい多数の小魚などをネット網上に載置することができて、調理性能を向上することができる。
【０１３２】
（実施の形態３）
図８は、本発明の第３の実施の形態における加熱調理器の焼き網とネット網の関係図である。図８において、ネット網１５は少なくとも１つ以上の係合片２６を有し、係合片２６によって焼き網１２の下方に載置したものである。
【０１３３】
本実施の形態では、ネット網１５の載置部と焼き網１２の載置部の接触部分が磨耗することが想定されるが、ネット網１５と焼き網１２の各々の接触する部分を同等の表面処理（たとえば、ニッケルメッキ）を施すことによって、耐摩耗性を改善することができる。
【０１３４】
これによって、グリル加熱室の空間が十分にない場合であっても、焼き網では調理しにくい、多数の小魚などをネット網上に載置することができて、調理性能を向上することができる。
【０１３５】
なお、本実施の形態では、係合片２６はネット網１５が有しているが、焼き網１２にあっても同様の効果が得られることはいうまでもない。
【０１３６】
（実施の形態４）
図９は、本発明の第４の実施の形態における加熱調理器の焼き網１２とネット網１５の関係図である。図９において、ネット網１５は少なくとも１つ以上の焼き網への直交嵌合部４４を備え、焼き網１２は、複数の載置部４１を均一に離隔させて載置部基本間隔部４２を設けるとともに、前記複数の載置部４１は不均一な間隔部４３を少なくとも一箇所以上設けている。
【０１３７】
これにより、ネット網１５の直交嵌合部４４は、不均一な間隔部４３と嵌合し、ネット網１５は焼き網１２上に固定される。
【０１３８】
また、複数の載置部４１に直交する方向の直交嵌合部４４の長さＡは、焼き網１２の載置部基本間隔部の長さｂより大きく、焼き網１２のネット網載置部の間隔ａ（不均一な間隔部の長さ）のみが直交嵌合部４４の長さＡより大きく形成される（ａ＞＞Ａ＞ｂ）。
【０１３９】
また、直交嵌合部４４は、ネット網１５枠体と一体として形成される。また、直交嵌合部４４は、ネット網１５の前方と後方に設けられる。
【０１４０】
また、ネット網は前後方向を焼き網に係止する前方嵌合部４５と後方嵌合部４６を有し、不均一な間隔部４３は、載置部４１の１本を曲げ加工することで載置部基本間隔部４２
を備えつつ形成され、ネット網の前方嵌合部４５および後方嵌合部４６が前記載置部基本間隔部を構成する載置部４７に嵌合する構成としている。
【０１４１】
また、不均一な間隔部４３および載置部基本間隔部４２は、前記載置部４１の１本を少なくとも１回以上直角曲げ加工して構成している。
【０１４２】
これによって、使用者が焼き網にネット網を載置する際に、ネット網は前方嵌合部と後方嵌合部で焼き網に係止されることで、よりネット網が焼き網上でずれる量を少なくすることができ、ａ＞＞Ａ＞ｂの関係から、物理的にセットできる位置が限られるため、誤載置し、ヒーターとの位置が確定しない可能性を低減することができるため、調理物の焼き具合のばらつきを抑制することができ、使用者にとってより安全・安心で調理性能が向上する調理器を提供することができる。
【０１４３】
さらに。直交嵌合部４４が、ネット網１５枠体と一体で形成されることにより、ネット網の嵌合部の構成が簡素化されてコストを安くすることができる。
【０１４４】
これによって、ネット網が焼き網上でずれる量を少なくすることができ、焼き網の耐磨耗性が向上し、使用者にとってより安全・安心で調理性能が向上する調理器を提供することができる。
【０１４５】
さらに、載置部の１本を少なくとも１回以上クランク曲げ加工を行うことで、均一な部分と不均一な部分の境目がはっきりと視認でき、使用者が誤載置する可能性を減らすことができ、見栄えもよい。
【０１４６】
これによって、ネット網を焼き網に載置する際に前後逆でも載置することができ、かつ誤載置することを防ぐことができるため、ヒーターとの位置が確定しない可能性を低減することができるため、調理物の焼き具合のばらつきを抑制することができ、使用者にとってより安全・安心で調理性能が向上する調理器を提供することができる。
【０１４７】
なお、本実施の形態では、直交嵌合部４４はネット網１５が有しているが、焼き網１２に嵌合部があって、同様にネット網１５側に不均一な間隔部があっても同様の効果が得られることはいうまでもない。
【０１４８】
（実施の形態５）
図１０は、本発明の第５の実施の形態における加熱調理器の焼き網１２とネット網１５の関係図である。
【０１４９】
ここで、不均一な間隔部４３および載置部基本間隔部４２は、前記載置部４１の１本を少なくとも２回以上直角曲げ加工して構成している。この場合、直角曲げ加工部４８の位置を設計し、焼き網１２上に載置するネット網１５は不均一な間隔部４３に対応する位置に直行嵌合部４２を設けることで、ネット網１５の大きさを大小様々なものを載置することが可能となり、使用者にとって調理内容に合わせて変更することが可能となり、より利便性が高まる調理器を提供することができる。
【０１５０】
また、本実施の形態では直角曲げ加工を施しているが、不均一な間隔部４３が適当に設けることができるのであれば、クランク曲げ加工やＺ曲げ加工やＲ曲げ加工を用いてもよいし、加工方法は特に限定するものではない。
【産業上の利用可能性】
【０１５１】
以上のように、本発明にかかる加熱調理器は、安全で使い勝手の良いグリル加熱室を有
したものであり、焼き網の耐久性の低下を防ぐことができるので、グリル加熱をおこなうその他の調理機器全般に有効である。
【符号の説明】
【０１５２】
１  本体
２  トッププレート
３  トップフレーム
１０  グリル加熱室
１１  ヒーター
１２  焼き網
１３  受け皿
１４  グリル扉
１５  ネット網
１６  焼き網外縁体
１７  焼き網載置棒
１８  ネット網外枠部
３０  ネット部
１９  ネット網前方脚部
２０  ネット網後方脚部
２１  ネット網側面脚部
２２  前部載置棒
２３  後部載置棒
２４  上ヒーター
２５  下ヒーター
２６  係合片
３０  ネット部
３３  被加熱物載置網部
４１  複数の載置部
４２  載置部基本間隔部
４３  不均一な間隔部
４４  直交嵌合部
４５  前方嵌合部
４６  後方嵌合部
４７  載置部基本間隔部を構成する載置部
４８  直角曲げ加工部
【図１】
0005824637.tif 000002
【図２】
0005824637.tif 000003
【図３】
0005824637.tif 000004
【図４】
0005824637.tif 000005
【図５】
0005824637.tif 000006
【図６】
0005824637.tif 000007
【図７】
0005824637.tif 000008
【図８】
0005824637.tif 000009
【図９】
0005824637.tif 000010
【図１０】
0005824637.tif 000011